(57)【要約】【課題】二つの脱着可能な部材が入る開口部に開閉蓋を取り付けた構造において、一方の部材の交換を容易にする。【解決手段】二つの脱着可能な部材Ｂ・Ｃが入る開口部５と、その開口部５に開閉可能に取り付ける開閉蓋２と、その開閉蓋２を開口部５に対し回動可能に支持する支軸６と、を備え、開閉蓋２を支軸６に対し軸線方向に沿ってスライド可能に組み付ける。これにより、開閉蓋２を閉じた状態で支軸６の軸線方向に沿ってスライドさせると、二つの脱着可能な部材Ｂ・Ｃのうち一方の部材Ｃが入る部分４のみが露出する。その一方の部材Ｃが入る部分４は、開閉蓋２の支軸６の軸線方向に沿ったスライド幅より薄い。【選択図】図７
2013195600.tif 000002
【特許請求の範囲】
【請求項１】
二つの脱着可能な部材が入る開口部と、
前記開口部に開閉可能に取り付ける開閉蓋と、
前記開閉蓋を前記開口部に対し回動可能に支持する支軸と、を備え、
前記開閉蓋を前記支軸に対し軸線方向に沿ってスライド可能に組み付け、前記開閉蓋を閉じた状態で前記支軸の軸線方向に沿ってスライドさせると、前記二つの脱着可能な部材のうち一方の部材が入る部分のみが露出することを特徴とする開閉蓋構造。
【請求項２】
前記二つの脱着可能な部材のうち一方の部材が入る部分は、前記開閉蓋の前記支軸の軸線方向に沿ったスライド幅より薄いことを特徴とする請求項１に記載の開閉蓋構造。
【請求項３】
前記開口部と開閉蓋に、前記開閉蓋を閉じた状態での前記支軸の軸線方向に沿ったスライド動作を、前記支軸と反対側端部において互いに係合してガイドするガイド部材とフック部材を備えることを特徴とする請求項１または２に記載の開閉蓋構造。
【請求項４】
前記開閉蓋を前記支軸に対し軸線方向と直交する方向に沿ってスライド可能に組み込んだことを特徴とする請求項１から３のいずれか一項に記載の開閉蓋構造。
【請求項５】
前記開閉蓋に、前記支軸を挿通し、前記開閉蓋を閉じた状態での前記支軸の軸線方向と直交する方向に沿ったスライド動作を許容する長穴を形成したことを特徴とする請求項４に記載の開閉蓋構造。
【請求項６】
前記開閉蓋を閉じた状態での前記支軸の軸線方向と直交する方向に沿ったスライド動作で、前記ガイド部材とフック部材の係合が解除されることを特徴とする請求項４または５に記載の開閉蓋構造。
【請求項７】
筐体に、請求項１から６のいずれか一項に記載の開閉蓋構造を備えることを特徴とする電子機器。
【発明の詳細な説明】
【技術分野】
【０００１】
本発明は、脱着可能な部材が入る開口部に取り付ける開閉蓋の構造と、その開閉蓋構造を備える電子機器に関する。
【背景技術】
【０００２】
撮像装置において、電池蓋により開閉される電池収納部にメモリカードを挿入するカードスロットを設けたものがある（特許文献１参照）。
また、電池蓋にメモリカードを保持する保持部を設けたものもある（特許文献２参照）。
【先行技術文献】
【特許文献】
【０００３】
【特許文献１】特開２０１１−１３３５６４号公報
【特許文献２】特開平９−１８５６８８号公報
【発明の概要】
【発明が解決しようとする課題】
【０００４】
ところで、特許文献１のように電池収納部にカードスロットを設けたものでは、電池蓋を開けてメモリカードを交換する際、電池が不用意に飛び出してしまう心配がある。
これを防止するためには、カードスロットにも専用蓋を設ける必要があり、専用蓋を設けると、メモリカード交換の手間が増え、コストアップとデザイン上の制約もある。
また、特許文献２のように電池蓋にカード保持部を設けたものでも、電池蓋を開けてメモリカードを交換する必要があり、その際同様に、電池が不用意に飛び出してしまう心配がある。
【０００５】
本発明の課題は、二つの脱着可能な部材が入る開口部に開閉蓋を取り付けた構造において、一方の部材の交換を容易にすることである。
【課題を解決するための手段】
【０００６】
以上の課題を解決するため、本発明は、
二つの脱着可能な部材が入る開口部と、
前記開口部に開閉可能に取り付ける開閉蓋と、
前記開閉蓋を前記開口部に対し回動可能に支持する支軸と、を備え、
前記開閉蓋を前記支軸に対し軸線方向に沿ってスライド可能に組み付け、前記開閉蓋を閉じた状態で前記支軸の軸線方向に沿ってスライドさせると、前記二つの脱着可能な部材のうち一方の部材が入る部分のみが露出する開閉蓋構造を特徴とする。
【発明の効果】
【０００７】
本発明によれば、二つの脱着可能な部材が入る開口部に開閉蓋を取り付けた構造において、一方の部材の交換を容易にすることができる。
【図面の簡単な説明】
【０００８】
【図１】本発明を適用した電子機器の一実施形態の構成を示すもので、カメラの斜視図である。
【図２】図１のカメラの底面図である。
【図３】図２のカメラの電池蓋及びその周辺の拡大斜視図である。
【図４】図３の電池蓋を透視状態で示した図である。
【図５】図４の開口部及びその内部の平面図である。
【図６】図５の透視状態の電池蓋を右方向にスライドさせる図である。
【図７】図５の透視状態の電池蓋を下方向にスライドさせた図である。
【図８】図７の透視状態の電池蓋を右方向にスライドさせた図である。
【図９】図８の電池蓋の開状態を示した斜視図である。
【発明を実施するための形態】
【０００９】
以下、図を参照して本発明を実施するための形態を詳細に説明する。
（実施形態）
図１及び図２は本発明を適用した電子機器の一実施形態の構成としてカメラを示すもので、１は筐体、２は電池蓋である。
図示のように、カメラは、筐体１の下面の一側部に開閉可能な電池蓋２を備えている。
【００１０】
図３は電池蓋２及びその周辺を拡大したもので、図４及び図５はその電池蓋２を透視状態で示しており、３は電池収納部（第一の収納部）、４はカードスロット（第二の収納部）、５は開口部、６は支軸、７はガイド部材、Ｂは電池（第一の脱着可能な部材）、Ｃはメモリカード（第二の脱着可能な部材）である。
【００１１】
すなわち、筐体１の下面の一側部には、図４に示すように、第一の収納部として電池収納部３と、第二の収納部としてのカードスロット４が位置する開口部５が設けられている。図示例において、開口部５の大きな部分を占める電池収納部３には、第一の脱着可能な部材としての電源として単三形の乾電池Ｂが四本収納され、開口部５の一辺部に沿ったカードスロット４には、第一の脱着可能な板状（カード状）の部材としての外部記録媒体、所謂、メモリカードＣが収納される。なお、電池Ｂの本数は図示例に限らず任意である。
【００１２】
そして、開口部５には、電池収納部３及びカードスロット４の一側方部に、カードスロット４と直交する方向に支軸６が設けられて、他側方部に、支軸６と平行するガイド部材７が設けられている。支軸６は、開口部５に設けた軸受突部１１・１２により両端を軸受されている。ガイド部材７は、開口部５から両端が立ち上がるレール状をなしている。さらに、支軸６の軸受突部１２側の一半部で電池収納部３側には、開口部５に設けたガイド兼ストッパー突部１３が支軸６と平行に位置している。
【００１３】
また、電池蓋２には、図９に示すように、支軸６に組付ける一対の組付け片２１・２２が設けられるとともに、ガイド部材７のレール状下に挿入されるフック部材２７が設けられている。組付け片２１・２２には、支軸６を挿通する長穴２３・２４が形成されている。フック部材２７は、ガイド部材７のレール状下に開口部５の外側から挿入される。
【００１４】
ここで、支軸６は、一対の組付け片２１・２２の間隔より十分に長く設定され、ガイド兼ストッパー突部１３は、一対の組付け片２１・２２間に入る寸法に設定される。
【００１５】
以上により、電池蓋２は開口部５に対し、一対の組付け片２１・２２で支軸６に沿ってスライド可能に組み付けられるとともに、長穴２３・２４により支軸６と直交する方向にもスライド可能に組み付けられている。なお、カードスロット４は、電池蓋２の支軸６の軸線方向に沿ったスライド幅よりも薄く設定される。
【００１６】
次に、電池蓋２の動作について説明する。
【００１７】
始めに、図２及び図３に示すように、電池蓋２を閉じた状態においては、図４及び図５に示すように、支軸６上の一方の組付け片２１が軸受突部１１に隣接して、他方の軸受突部１２側の組付け片２２がガイド兼ストッパー突部１３に突き当たっている。また、フック部材２７はガイド部材７のレール状下に開口部５の外側から挿入された係合状態にある。このフック部材２７とガイド部材７の係合により、電池蓋２の支軸６を支点とする回動による開放が阻止されたロック状態となっている。
【００１８】
図６は図５の透視状態の電池蓋２を矢印Ｘで示す右方向にスライドさせる状態を示したもので、閉じた状態の電池蓋２は開口部５に対し、一対の組付け片２１・２２の長穴２３・２４により支軸６と直交する方向にスライド可能であるが、このとき、軸受突部１２側の組付け片２２がガイド兼ストッパー突部１３により規制されて、支軸６と直交する方向のスライドは阻止される。
【００１９】
図７は図５の透視状態の電池蓋２を矢印Ｙで示す下方向にスライドさせた状態を示したもので、閉じた状態の電池蓋２は開口部５に対し、一対の組付け片２１・２２で支軸６に沿ってスライドする。このとき、一方の組付け片２１がガイド兼ストッパー突部１３に隣接して、他方の組付け片２２がガイド兼ストッパー突部１３にガイドされて離れると同時に軸受突部１２に突き当たる。また、フック部材２７はガイド部材７のレール状下をガイドされる。
【００２０】
これにより、図示のように、カードスロット４のみが露出状態となるため、電池Ｂを不用意に飛び出させたり落下させること無く、メモリカードＣのみを脱着して交換することができる。
【００２１】
図８は図７の透視状態の電池蓋２を矢印Ｘで示す右方向にスライドさせた状態を示したもので、閉じた状態の電池蓋２は開口部５に対し、一対の組付け片２１・２２がガイド兼ストッパー突部１３を挟むようにその両側に隣接していることから、各々の長穴２３・２４により支軸６と直交する矢印Ｘで示した右方向にスライドする。このとき、フック部材２７はガイド部材７のレール状下から外側に離間して外れる。
【００２２】
従って、ロック状態が解除されて、図９に示すように、電池蓋２を支軸６を支点として回動させて開放することができる。これにより、電池Ｂを脱着して交換することができる。
【００２３】
以上、実施形態のカメラによれば、電池蓋２を支軸６に対し軸線方向に沿ってスライド可能に組み付けることで、電池蓋２を閉じた状態で支軸６の軸線方向に沿ってスライドさせると、カードスロット４のみが露出するため、メモリカードＣを交換する際に電池蓋２の開放により電池Ｂが不用意に飛び出してしまうのを防止することができる。
また、カードスロット４に専用蓋を必要としないので、メモリカードＣの交換の手間が増えることがなく、コストアップの問題とデザイン上の制約もない。
【００２４】
（変形例）
以上の実施形態においては、カメラとしたが、本発明はこれに限定されるものではなく、カメラを備える携帯電話など他の電子機器であってもよい。
また、実施形態では、電池蓋に支軸を通す長穴を形成したが、電池蓋に支軸を備えて、開口部に支軸を通す長穴を形成してもよい。
さらに、実施形態において、電池収納部、カードスロット及び電池蓋としたが、電池やメモリカードに限らず、他の脱着可能な二部材を収納する開口部及び開閉蓋であってもよい。
また、開口部及び開閉蓋の形状等も任意であり、その他、具体的な細部構造等についても適宜に変更可能であることは勿論である。
【００２５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
二つの脱着可能な部材が入る開口部と、
前記開口部に開閉可能に取り付ける開閉蓋と、
前記開閉蓋を前記開口部に対し回動可能に支持する支軸と、を備え、
前記開閉蓋を前記支軸に対し軸線方向に沿ってスライド可能に組み付け、前記開閉蓋を閉じた状態で前記支軸の軸線方向に沿ってスライドさせると、前記二つの脱着可能な部材のうち一方の部材が入る部分のみが露出することを特徴とする開閉蓋構造。
＜請求項２＞
前記二つの脱着可能な部材のうち一方の部材が入る部分は、前記開閉蓋の前記支軸の軸線方向に沿ったスライド幅より薄いことを特徴とする請求項１に記載の開閉蓋構造。
＜請求項３＞
前記開口部と開閉蓋に、前記開閉蓋を閉じた状態での前記支軸の軸線方向に沿ったスライド動作を、前記支軸と反対側端部において互いに係合してガイドするガイド部材とフック部材を備えることを特徴とする請求項１または２に記載の開閉蓋構造。
＜請求項４＞
前記開閉蓋を前記支軸に対し軸線方向と直交する方向に沿ってスライド可能に組み込んだことを特徴とする請求項１から３のいずれか一項に記載の開閉蓋構造。
＜請求項５＞
前記開閉蓋に、前記支軸を挿通し、前記開閉蓋を閉じた状態での前記支軸の軸線方向と直交する方向に沿ったスライド動作を許容する長穴を形成したことを特徴とする請求項４に記載の開閉蓋構造。
＜請求項６＞
前記開閉蓋を閉じた状態での前記支軸の軸線方向と直交する方向に沿ったスライド動作で、前記ガイド部材とフック部材の係合が解除されることを特徴とする請求項４または５に記載の開閉蓋構造。
＜請求項７＞
筐体に、請求項１から６のいずれか一項に記載の開閉蓋構造を備えることを特徴とする電子機器。
【符号の説明】
【００２６】
１  筐体
２  開閉蓋
３  第一の収納部
４  第二の収納部
５  開口部
６  支軸
７  ガイド部材
１１  軸受突部
１２  軸受突部
１３  ガイド兼ストッパー突部
２１  組付け片
２２  組付け片
２３  長穴
２４  長穴
２７  フック部材
Ｂ  第一の脱着可能な部材
Ｃ  第二の脱着可能な部材
【図１】
2013195600.tif 000003
【図２】
2013195600.tif 000004
【図３】
2013195600.tif 000005
【図４】
2013195600.tif 000006
【図５】
2013195600.tif 000007
【図６】
2013195600.tif 000008
【図７】
2013195600.tif 000009
【図８】
2013195600.tif 000010
【図９】
2013195600.tif 000011